(57)【特許請求の範囲】
【請求項１】
植生領域上に配置され、植生植物を保護するための植生保護装置であって、
ジグザグ状に屈折する剛性の複数の金属線からなる保護体を備え、
前記複数の金属線が前記保護体の長さ方向に並設されて菱形金網状に編み合わされ、前記保護体の長さ方向において、前記複数の金属線が互いに近接又は離隔するように変位可能であり、
前記保護体の幅方向で凸面状に隆起するとともに前記保護体の長さ方向に沿って延びる凸条部が形成され、
前記凸条部の内部に前記植生植物を保護するための植生保護空間が定められ、
前記植生保護空間を維持すべく、複数の補強部が前記保護体の長さ方向に並設され、
前記補強部は、前記複数の金属線のうちの隣接する少なくとも２つの金属線が結束されることにより形成されていることを特徴とする植生保護装置。
【請求項２】
植生領域上に配置され、植生植物を保護するための植生保護装置であって、
ジグザグ状に屈折する剛性の複数の金属線からなる保護体を備え、
前記複数の金属線が前記保護体の長さ方向に並設されて菱形金網状に編み合わされ、前記保護体の長さ方向において、前記複数の金属線が互いに近接又は離隔するように変位可能であり、
前記保護体の幅方向で凸面状に隆起するとともに前記保護体の長さ方向に沿って延びる凸条部が形成され、
前記凸条部の内部に前記植生植物を保護するための植生保護空間が定められ、
前記植生保護空間を維持すべく、複数の補強部が前記保護体の長さ方向に並設され、
前記凸条部は、幅方向及び長さ方向に複数の編み目が連続することによって構成され、前記凸条部の幅方向の両端で前記金属線が部分的に接地し、前記凸条部の幅方向の両端の間で複数の編み目が地面から浮いた状態で保持されることを特徴とする植生保護装置。
【請求項３】
前記凸条部は、幅方向及び長さ方向に複数の編み目が連続することによって構成され、前記凸条部の幅方向の両端で前記金属線が部分的に接地し、前記凸条部の幅方向の両端の間で複数の編み目が地面から浮いた状態で保持されることを特徴とする請求項１に記載の植生保護装置。
【請求項４】
前記凸条部の頂点の高さが保護対象の植生植物の生長点の高さよりも高いことを特徴とする請求項１から３のいずれか一項に記載の植生保護装置。
【請求項５】
法面上の植生領域の植生植物を保護する植生保護構造であって、請求項１から４のいずれか一項に記載の１以上の植生保護装置が前記法面の前記植生領域上に設置され、前記植生保護装置の前記保護体の長さ方向が前記法面の傾斜に沿って配置されていることを特徴とする植生保護構造。
【請求項６】
野生動物から法面上の植生領域の植生植物を保護する方法であって、
ジグザグ状に屈折する剛性の複数の金属線からなり、前記複数の金属線が並設されて菱形金網状に編み合わされ、前記複数の金属線が互いに近接又は離隔するように変位可能である、保護体を準備する工程と、
前記金属線の延伸方向に沿った前記保護体の幅方向で凸面状に隆起するとともに、前記幅方向に直交する前記保護体の長さ方向に沿って延びる凸条部を形成するように前記保護体の各金属線を屈曲させた状態で、前記保護体を前記植生領域に設置する工程と、を含み、
複数の補強部が前記保護体の長さ方向に並設され、
前記補強部は、前記複数の金属線のうちの隣接する少なくとも２つの金属線が結束されることにより形成されていることを特徴とする方法。
【発明の詳細な説明】
【技術分野】
【０００１】
本発明は、法面や平地などの植生領域を保護するための植生保護装置及び植生保護構造に関する。
【背景技術】
【０００２】
自然破壊防止や景観保持のため、法面や平地などの領域に植物を植生するには、植物を植生するための植生領域を設置するのが一般的である。しかし、植生領域の設置場所が山奥深く入った道路の法面等であって、鹿などの野生植物が出没する地帯では、植生領域に植生された植物が野生動物に食い荒らされるといった食害被害が頻繁に起こっている。つまり、野生動物が植生領域に侵入して、生え揃ってきた植生植物の芽を食い荒らしたり、踏みつけることによって、植生植物が枯れたり、成長不良を起こしたりして、植生領域に十分な植生を行えなくなってしまうという問題があった。
【０００３】
従来、このような野生動物による食害を防止するために、野生動物に対して忌避材を使用する方法が提案されていた。例えば、特許文献１では、植生基材又は植生基材を収容した植生袋に忌避機能を有するように構成している。しかし、忌避材が風雨により流亡してしまったり、植生植物自体によって無力化されてしまったりする可能性が非常に高いので、この忌避機能を長期に亘って維持することは困難であると思われる。
【０００４】
これに対し、特許文献２は、植生領域Ｇ上に配置され、植生植物（Ｐ）を保護するための植生保護装置（１００）を開示する。該植生保護装置（１００）は、所定の可撓性、弾性及び通光性を有する植生保護シート（１０１）と、植生保護シート（１０１）を植生領域（Ｒ）上に固定するための固定具（１０２）とを備える。そして、植生保護シート（１０１）がアーチ状に屈曲した状態で植生領域（Ｒ）上に固定されて、植生保護シート（１０１）と植生領域（Ｇ）との間に植生植物Ｐを保護するための植生保護空間（Ｒ）が形成される。このアーチ状に屈曲した植生保護シート（１０１）は、その略半円状に湾曲して上方に張り出した姿勢を維持すべく所定の弾性（復元性）を有している。この弾性によって、植生保護シート（１０１）がぴんと張った状態で湾曲姿勢をとり、植生保護シート（１０１）と植生領域（Ｇ）表面とが離隔して植生保護空間（Ｒ）を維持する。その結果、野生動物（Ｄ）が植生植物（Ｐ）の根元や若芽の状態の植生植物（Ｐ）を食べたり、踏みつけたりすることが安定的に抑制される。そして、植生保護装置（１００）は、１枚の植生保護シート（１０１）を屈曲させることにより植生保護空間（Ｒ）を形成するため、植生保護シート（１０１）及び固定具（１０２）だけで構成可能であり、従来と比べても、非常に簡易であり、且つ、安価に製造可能である構造を有している。
【先行技術文献】
【特許文献】
【０００５】
【特許文献１】特開２００７−２０４５９号公報
【特許文献２】特許第５５０３０６７号公報
【発明の概要】
【発明が解決しようとする課題】
【０００６】
本植生保護に係る技術分野では、屋外環境の下でより長期間に亘って、鹿、猿、鳥などの野生動物（代表的には鹿）による獣害から植物を保護可能であり、より一層簡易（又は低コスト）な構造の植生保護装置を提供することが求められている。
【０００７】
特許文献２の植生保護装置の植生保護シートは、可撓性且つ弾性の樹脂シートであるので、例えば、高温多湿地や寒冷地などの厳しい気候条件の下では、長期間の経時によって、その弾発力が弱まり、植生保護装置の機能を発揮できなくなる虞があった。また、樹脂の代わりに金属を用いたとしても、弾性（可撓性）を持たせるために薄板で形成する必要があり、植生保護シートが経時によって割れたり、破損する虞があった。また、特許文献２の植生保護装置では、その植生保護領域が広域であるほど、数多くの可撓性且つ弾性の樹脂シートを準備する必要があった。そのため、植生保護装置の輸送や保管の際、複数の樹脂シートが積み重ねられるので、装置全体が嵩張ってしまうことが考えられ、より一層コンパクトな構造を有するように改善の余地が残されている。
【０００８】
本発明は、上記課題を解決するためになされたものであり、その目的は、屋外環境の下で野生動物による食害から植生領域上の植物をより安定的に保護すると共に、よりコンパクトな形態をとり得る植生保護装置及び植生保護構造を提供することにある。なお、本発明の「植生領域」とは、植物が植生される領域であり、野生動物や鳥類などによる被害から植生植物を保護すべき領域である。すなわち、「植生領域」は、法面、畑、田園、植生マットなどを含む広い概念である。同様に、「植生植物」とは、法面緑化のための草花、野菜や穀物などの食用植物などを含む広い概念である。
【課題を解決するための手段】
【０００９】
請求項１に記載の植生保護装置は、植生領域上に配置され、植生植物を保護するための植生保護装置であって、
ジグザグ状に屈折する剛性の複数の金属線からなる保護体を備え、
前記複数の金属線が前記保護体の長さ方向に並設されて菱形金網状に編み合わされ、前記保護体の長さ方向において、前記複数の金属線が互いに近接又は離隔するように変位可能であり、
前記保護体の幅方向で凸面状に隆起するとともに前記保護体の長さ方向に沿って延びる凸条部が形成され、
前記凸条部の内部に前記植生植物を保護するための植生保護空間が定められ、
前記植生保護空間を維持すべく、複数の補強部が前記保護体の長さ方向に並設され、
前記補強部は、前記複数の金属線のうちの隣接する少なくとも２つの金属線が結束されることにより形成されていることを特徴とする。
【００１０】
請求項２に記載の植生保護装置は、植生領域上に配置され、植生植物を保護するための植生保護装置であって、
ジグザグ状に屈折する剛性の複数の金属線からなる保護体を備え、
前記複数の金属線が前記保護体の長さ方向に並設されて菱形金網状に編み合わされ、前記保護体の長さ方向において、前記複数の金属線が互いに近接又は離隔するように変位可能であり、
前記保護体の幅方向で凸面状に隆起するとともに前記保護体の長さ方向に沿って延びる凸条部が形成され、
前記凸条部の内部に前記植生植物を保護するための植生保護空間が定められ、
前記植生保護空間を維持すべく、複数の補強部が前記保護体の長さ方向に並設され、
前記凸条部は、幅方向及び長さ方向に複数の編み目が連続することによって構成され、前記凸条部の幅方向の両端で前記金属線が部分的に接地し、前記凸条部の幅方向の両端の間で複数の編み目が地面から浮いた状態で保持されることを特徴とする。
【００１１】
請求項３に記載の植生保護装置は、請求項１に記載の植生保護装置であって、凸条部は、幅方向及び長さ方向に複数の編み目が連続することによって構成され、凸条部の幅方向の両端で金属線が部分的に接地し、凸条部の幅方向の両端の間で複数の編み目が地面から浮いた状態で保持されることを特徴とする
【００１２】
請求項４に記載の植生保護装置は、請求項１から３のいずれかに記載の植生保護装置であって、凸条部の頂点の高さが保護対象の植生植物の生長点の高さよりも高いことを特徴とする。
【００１３】
請求項５に記載の植生保護構造は、法面上の植生領域の植生植物を保護する植生保護構造であって、請求項１から４のいずれか一項に記載の１以上の植生保護装置が法面の植生領域上に設置され、前記植生保護装置の前記保護体の長さ方向が前記法面の傾斜に沿って配置されていることを特徴とする。
【００１４】
請求項６に記載の方法は、野生動物から法面上の植生領域の植生植物を保護する方法であって、
ジグザグ状に屈折する剛性の複数の金属線からなり、前記複数の金属線が並設されて菱形金網状に編み合わされ、前記複数の金属線が互いに近接又は離隔するように変位可能である、保護体を準備する工程と、
前記金属線の延伸方向に沿った前記保護体の幅方向で凸面状に隆起するとともに、前記幅方向に直交する前記保護体の長さ方向に沿って延びる凸条部を形成するように前記保護体の各金属線を屈曲させた状態で、前記保護体を前記植生領域に設置する工程と、を含み、
複数の補強部が前記保護体の長さ方向に並設され、
前記補強部は、前記複数の金属線のうちの隣接する少なくとも２つの金属線が結束されることにより形成されていることを特徴とする。
【発明の効果】
【００１５】
請求項１に記載の発明によれば、剛性の複数の金属線が協働して凸条部が設けられ、該凸条部の内部に保護体の長さ方向に延びる植生保護空間が形成される。すなわち、植生保護空間は、複数の剛性の金属線によって定められているため、剛性の保護面によって安定的に植生保護空間の植生植物を保護できる。そして、保護面が剛性の金属線によって構成されているため、気候条件に影響を受けにくく、より高い耐久性を有する。特に、補強部が保護体の長さ方向に複数設けられていることにより、大型の鹿などの重量体が保護体上に乗ったとしても、保護体が塑性変形して植生保護空間が潰れたり、保護空間が狭まることを防止することが可能である。また、保護体は、幅方向に剛性を有するが、長さ方向に複数の金属線が互いに近接又は離隔するように変形可能である。これにより、植生保護装置の輸送又は保管の際、保護体を長さ方向に収縮させて折り畳むことが可能となる。すなわち、本発明の植生保護装置は、屋外環境の下で野生動物による食害から植生領域上の植物をより安定的に保護可能であり、なお且つ、よりコンパクトな形態に変形可能である。さらに、複数の金属線のうちの隣接する少なくとも２つの金属線が結束されることにより補強部を簡単に形成することが可能である。その結果、該植生保護装置の製造容易性を改善し、且つ、製造コストを低下させることができる。
【００１６】
請求項２に記載の発明によれば、剛性の複数の金属線が協働して凸条部が設けられ、該凸条部の内部に保護体の長さ方向に延びる植生保護空間が形成される。すなわち、植生保護空間は、複数の剛性の金属線によって定められているため、剛性の保護面によって安定的に植生保護空間の植生植物を保護できる。そして、保護面が剛性の金属線によって構成されているため、気候条件に影響を受けにくく、より高い耐久性を有する。特に、補強部が保護体の長さ方向に複数設けられていることにより、大型の鹿などの重量体が保護体上に乗ったとしても、保護体が塑性変形して植生保護空間が潰れたり、保護空間が狭まることを防止することが可能である。また、保護体は、幅方向に剛性を有するが、長さ方向に複数の金属線が互いに近接又は離隔するように変形可能である。これにより、植生保護装置の輸送又は保管の際、保護体を長さ方向に収縮させて折り畳むことが可能となる。すなわち、本発明の植生保護装置は、屋外環境の下で野生動物による食害から植生領域上の植物をより安定的に保護可能であり、なお且つ、よりコンパクトな形態に変形可能である。さらに、保護体の凸条部が、幅方向及び長さ方向に複数の編み目が連設することによって構成されていることにより、該凸条部の幅方向の両端の金属線のみが接地し、該両端の間の多くの編み目が地面から浮いた状態で保持される。すなわち、１本の金属線の長手方向において、地面と接する箇所の面積は比較的少なく、その大部分が地面から離隔して配置される。特に、金属線が地面に接する箇所では、湿度が高く、水分が溜まり易いため、錆や腐食が発生し易い。本発明では、幅方向に複数の編み目を浮かすように配置したことにより、錆や腐食が発生する箇所を最小限に留めている。さらに、接地面積が少ないため、保護体に乗った野生動物の重みで、保護体が地面に沈み込んだ場合、金属線が地中の植生植物の根に触れて、植生植物を損傷する虞を軽減することができる。
【００１７】
請求項３に記載の発明によれば、請求項１の植生保護装置の効果に加えて、保護体の凸条部が、幅方向及び長さ方向に複数の編み目が連設することによって構成されていることにより、該凸条部の幅方向の両端の金属線のみが接地し、該両端の間の多くの編み目が地面から浮いた状態で保持される。すなわち、１本の金属線の長手方向において、地面と接する箇所の面積は比較的少なく、その大部分が地面から離隔して配置される。特に、金属線が地面に接する箇所では、湿度が高く、水分が溜まり易いため、錆や腐食が発生し易い。本発明では、幅方向に複数の編み目を浮かすように配置したことにより、錆や腐食が発生する箇所を最小限に留めている。さらに、接地面積が少ないため、保護体に乗った野生動物の重みで、保護体が地面に沈み込んだ場合、金属線が地中の植生植物の根に触れて、植生植物を損傷する虞を軽減することができる。
【００１８】
請求項４に記載の発明によれば、請求項１から３のいずれかの植生保護装置の効果に加えて、剛性の金属線が植生植物の生長点を保護することにより、植生植物の生長点が野生動物に食べられたり、踏み付けられたりして植物が枯れることを抑制することができる。
【００１９】
請求項５に記載の発明によれば、請求項１から４のいずれかの植生保護装置の効果を法面上の植生保護構造として発揮することができる。また、凸条部が法面の勾配方向に沿って延びているため、野生動物の足場になりにくい。例えば、本発明と対照的に、凸条部が法面の（勾配方向と直角な）等高線に沿って配置されている場合、法面上で凸条部が階段状に並列するため、野生生物の足場となりやすい。これに対し、本発明では、半筒状に隆起した植生保護空間が傾斜方向に延在し、保護体の全面が法面に沿って傾斜していることから、野生動物による食害被害を効果的に抑えることができる。したがって、本発明は、野生動物からの食害から植生領域上の植生植物をより確実に保護するものである。
【００２０】
請求項６に記載の発明によれば、剛性の複数の金属線が協働して凸条部が設けられ、該凸条部の内部に保護体の長さ方向に延びる植生保護空間が法面上に形成される。すなわち、植生保護空間は、複数の剛性の金属線によって定められているため、剛性の保護面によって安定的に植生保護空間の植生植物を保護できる。そして、保護面が剛性の金属線によって構成されているため、気候条件に影響を受けにくく、より高い耐久性を有する。特に、補強部が保護体の長さ方向に複数設けられていることにより、大型の鹿などの重量体が保護体上に乗ったとしても、保護体が塑性変形して植生保護空間が潰れたり、保護空間が狭まることを防止することが可能である。また、保護体は、幅方向に剛性を有するが、長さ方向に複数の金属線が互いに近接又は離隔するように変形可能である。これにより、保護体の輸送又は保管の際、保護体を長さ方向に収縮させて折り畳むことが可能となる。すなわち、本発明の植生保護方法は、屋外環境の下で野生動物による食害から植生領域上の植物をより安定的に保護可能であり、尚且つ、保護体をよりコンパクトな形態に変形可能であるので施工容易である。さらに、複数の金属線のうちの隣接する少なくとも２つの金属線が結束されることにより補強部を簡単に形成することが可能である。その結果、該植生保護装置の製造容易性を改善し、且つ、製造コストを低下させることができる。
【図面の簡単な説明】
【００２１】
【図１】本発明の一実施形態の植生保護装置を法面に設置した植生保護構造の斜視図。
【図２】図１の植生保護構造の概略Ａ−Ａ断面図。
【図３】図１の植生保護構造の概略Ｂ−Ｂ断面図。
【図４】図１の植生保護装置の保護体の平面図。
【図５】図４の植生保護装置の保護体の部分拡大図であって、（ａ）保護体が張られた状態を示し、（ｂ）保護体が長さ方向に変形した状態を示す。
【図６】本実施形態の別例の植生保護装置の保護体の部分拡大図であって、（ａ）保護体が張られた状態を示し、（ｂ）保護体が長さ方向に変形した状態を示す。
【発明を実施するための形態】
【００２２】
以下、本発明の一実施形態について図面を参照しつつ説明する。なお、以下の説明において参照する各図の形状は、好適な形状寸法を説明する上での概念図又は概略図であり、寸法比率等は実際の寸法比率とは必ずしも一致しない。つまり、本発明は、図面における寸法比率に限定されるものではない。
【００２３】
図１は、本発明の一実施形態の植生保護装置１００を法面の植生領域Ｇに複数設置した植生保護構造１０の斜視図である。図１に示すとおり、植生保護装置１００は、ジグザグ状に屈折する剛性の複数の金属線（鉄線）１０１ａからなる通光性及び通気性を有する保護体１０１と、植生領域Ｇ上に直接敷設される植生シート１０２と、保護体１０１及び植生シート１０２を植生領域Ｇに固定するための複数の固定具１０３と、を備える。さらに、保護体１０１には、該保護体１０１を補強するための複数の補強部１０１ｃが設けられている。該補強部１０１ｃは、太字で模式的に表された箇所である。図１において、法面の傾斜面に沿った方向を植生保護装置１００の長さ方向とし、法面の等高線に沿った方向（傾斜方向を直交する方向）を植生保護装置１００の幅方向と定めた。なお、本明細書では、植生保護装置１００を法面に設置した形態を説明するが、植生保護装置１００は法面以外の平坦地で利用可能であることは言うまでもない。
【００２４】
植生シート１０２は、肥料又は植生植物Ｐの種子を含有した複数の筋状の植生袋（図示せず）を備え、植生植物Ｐの植生を促進するように機能する。しかしながら、本発明において、当該植生シート１０２を省略することも可能である。また、固定具１０３は、一般的なアンカーや杭などが用いられる。
【００２５】
植生保護構造１０において、金属線１０１ａの延伸方向に沿った保護体１０１の幅方向（法面の等高線に沿った方向）に並設されるとともに、該幅方向に直交する保護体１０１の長さ方向（傾斜方向）に沿って延びる複数の凸条部１０１ｂが形成されている。図２に示すとおり、各植生保護装置１００は、１つの凸条部１０１ｂが形成された保護体１０１からなる。凸条部１０１ｂは、保護体１０１の幅方向で凸面状に隆起するとともに保護体１０１の長さ方向に沿って長手状に延びている。そして、凸条部１０１ｂは、剛性を有するアーチ状に湾曲して、上方から植生シート１０２及び植生領域Ｇを覆っている。また、図３に示すとおり、凸条部１０１ｂは、法面の傾斜方向に沿って長手状に延びている。つまり、凸条部１０１ｂでは、略半円弧状の断面が長手方向に連続している。そして、凸条部１０１ｂは、幅方向及び長さ方向に複数の編み目が連続することによって構成されている。該凸条部１０１ｂの幅方向の両端で金属線１０１ａが部分的に接地し、該両端の間で複数の編み目が地面から浮いた状態で保持される。つまり、金属線１０１ａの大部分が地面から浮き上がった状態でアーチ状に保持されている。
【００２６】
また、図１及び図３に示すように、保護体１０１の幅方向に沿って、（保護体１０１の他の箇所よりも）高い剛性を有する補強部１０１ｃが延びている。該補強部１０１ｃは、保護体１０１の長さ方向において所定の間隔で複数並設されている。そして、補強部１０１ｃは、保護体１０１の他の金属線１０１ａと同様にアーチ状に湾曲し、他の金属線１０１ａと協働して凸条部１０１ｂを形成している。これにより、凸条部１０１ｂの強度が上がり、その姿勢を安定的に維持可能である。すなわち、相対的に剛性の高い補強部１０１ｃを設けたことにより、植生保護装置１００全体の強度を効率的に上昇させることが可能である。他方、植生保護装置１００の強度が上がったことにより、線材を細くすることが可能となり、全体として植生保護装置１００を軽量化することも可能である。
【００２７】
該凸条部１０１ｂは例えば、鹿（特には、ニホンジカ）Ｄが保護体１０１の上に乗っても、撓み変形しない程度の剛性を有していることが好ましい。この剛性は、金属線１０１ａの材質及び径によって定められる。本実施形態では、金属線１０１ａは、鉄製であり、その径が約２ｍｍであるが、本発明はこれに限定されず、所望の剛性を有するように任意に選択される。例えば、金属線１０１ａの径は、鉄線であれば、植生保護装置１００の重量と剛性とのバランスを考慮すると、１ｍｍ〜４ｍｍ程度が好ましい。
【００２８】
そして、該凸条部１０１ｂの内部に植生植物Ｐを保護するための植生保護空間Ｒが定められる。つまり、凸条部１０１ｂの頂点の高さｈが植生保護空間Ｒの最大高さを表している。そして、凸条部１０１ｂの頂点の高さｈが保護対象の植生植物Ｐの高さよりも高いことが好ましい。より具体的には、凸条部１０１ｂの頂点の高さｈは、好ましくは、３０ｍｍ〜５００ｍｍである。例えば、高さｈが３０ｍｍ以下であると、野生動物Ｄが植生植物Ｐの根元や若芽の植生植物Ｐを傷付ける虞があり、植生植物Ｐの保護効果が半減する。他方、高さｈが５００ｍｍを超えると、屋外における強風の影響を受けやすくなり、その設置が不安定となる傾向がある。さらに、保護体１０１（凸条部１０１ｂ）の露出が多くなり、法面の美観を損ねる虞がある。なお、高さｈを５００ｍｍに近付けるほど、使用する材料コストの点で有利となる。本実施形態では、補強部１０１ｃによって保護体１０１が強化されているので、植生保護装置１００を比較的大きくしても、その形状を安定的に維持可能である。
【００２９】
図１に示すように、植生保護構造１０では、半円筒状の凸条部１０１ｂが法面の勾配に沿って延びているため、野生動物Ｄの足場になりにくい。例えば、本発明と対照的に、凸条部１０１ｂが法面の（勾配方向と直角な）等高線に沿って配置されている場合、法面上で凸条部１０１ｂが階段状に並列するため、野生生物Ｄの足場となりやすい。これに対し、図１に示すように、半筒状に隆起した植生保護空間Ｒが傾斜方向に延在し、保護体１０１の上面が法面に沿って傾斜していることから、野生動物Ｄによる足場を形成せずに食害被害を効果的に抑えることができる。特には、法面に縦方向に延びる凹凸の人工物が形成されるため、鹿等の野生動物Ｄが植生保護構造１０を忌避することも考えられる。
【００３０】
次に、図４及び図５を参照して、植生保護装置１００の保護体１０１をより詳細に説明する。図４は、該保護体１０１の平面図である。図５（ａ）は、設置状態の保護体１０１の部分拡大図である。図５（ｂ）は、長さ方向に縮み変形した保護体１０１の部分拡大図である。
【００３１】
図４及び図５（ａ）に示すように、保護体１０１は、ジグザグ状に屈折する剛性の複数の金属線１０１ａからなる。これら複数の金属線１０１ａが保護体１０１の長さ方向（図５の上下方向）に並設されて菱形金網（又はラス金網）状に編み合わされている。すなわち、保護体１０１の長さ方向において、複数の金属線１０１ａが互いに近接又は離隔するように変位可能である。なお、本実施形態では、複数の金属線１０１ａのジグザグによって形成される菱形状の編み目の一辺の長さは５０ｍｍである。食害防止の性能（つまり、鹿Ｄが侵入できない編み目幅）と編み目の目詰まりの回避の両方を考慮すると、該編み目は２０ｍｍ〜１００ｍｍ程度であることが好ましい。
【００３２】
当該保護体１０１は、一平面上でジグザグに屈折した各金属線をその平面の法線方向に湾曲変形させて形成した金属線１０１ａを径方向に複数本編み合わせたものである。つまり、各金属線１０１ａは、ジグザグの屈折とともに該ジグザグよりも緩やかに湾曲した複数の凹凸を有する。そして、複数の金属線１０１ａが協働して、幅方向に凸面状に隆起した１山の凸条部１０１ｂを形成している。
【００３３】
そして、図５に示すように、複数の金属線１０１ａのうちの（長さ方向に）隣接する複数（本実施形態では２本）の金属線１０１ａが結束されることにより、他の箇所よりも高い剛性を有する補強部１０１ｃが形成されている。金属線１０１ａは、Ｃリングや結束線などの結束部材１０１ｄによって結束可能である。該補強部１０１ｃは、保護体１０１の長さ方向に任意の間隔で複数設けられている。補強部１０１ｃを形成する間隔が短くなる（つまり、補強部１０１ｃの数が増える）と、保護体１０１の強度が高くなるが、その分、保護体１０１の重量が増加することとなる。本実施形態では、強度と重量のバランスを踏まえて、補強部１０１ｃ間の間隔を約５００ｍｍとしたが、任意に変更可能である。なお、本発明の補強部の形態は、図５の形態に限定されない。例えば、図６に示すように、隣接する２本の金属線１０１ａ’を連続する２箇所で結束部材１０１ｄ’によって束ねて、補強部１０１ｃ’を構成してもよい。あるいは、１つの補強部において、３本以上の金属線が結束されてもよい。
【００３４】
本実施形態では、保護体１０１の凸条部１０１ｂの幅は約９００ｍｍである。本実施形態において、植生保護装置１００の強度（剛性）及び植生保護空間Ｒの容量を両立して確保すべく、凸条部１０１ｂ（植生保護空間Ｒ）の幅は、約５００ｍｍ〜約１０００ｍｍであることが好ましい。しかしながら、設置状況に応じて、その幅を適宜変更してもよい。他方、本実施形態では、保護体１０１の長さが１０ｍであるが、法面の植生領域Ｇの長さに応じて適宜選択され得る。
【００３５】
該保護体１０１は、その長さ方向（図４，５の上下方向）に変形可能であり、且つ、その幅方向（図４，５の左右方向）において剛性を有している。つまり、保護体１０１は、長さ方向にのみ、各金属線１０１ａが移動可能な範囲で伸縮変形することが可能であり、尚且つ、各金属線１０１ａがジグザグの角部を支点として互いに回動するように変形可能である。そして、図１に示すような植生保護装置１００の敷設時には、各金属線１０１ａが当接するまで保護体１０１を長さ方向に伸ばして（又は張って）使用する。他方、植生保護装置１００の不使用（収納・保管）時に、保護体１０１をコンパクトな形状に変形させることができる。あるいは、ロール状に巻いて変形させることも可能である。
【００３６】
次いで、当該保護体１０１を製造する方法の一例を説明する。まず、各ジグザグ状の金属線が編み合わされた平面状の菱形金網を準備する。この菱形金網の幾つかの箇所において、隣接する２以上の金属線をＣリングや結束線等の結束手段１０１ｄで結束することにより、凸条部１０１ｂ及び補強部１０１ｃを有する保護体１０１を形成する。この結束処理は、施工現場又は該施工現場とは異なる工場等のいずれで行われてもよい。次に、菱形金網をその平面に対して直交する方向に隆起させるように手等で湾曲変形させることにより、幅方向に複数の凹凸を菱形金網上に形成する。なお、この屈曲加工は、後述するように、施工する現場で法面に設置しながら行われ得る。しかしながら、屈曲加工は、施工現場とは異なる工場等で行われてもよい。すなわち、施工現場や工場等で、市販の菱形（ラス）金網を屈曲加工及び結束処理することにより保護体１０１を製造できるので、従来の植生保護装置（例えば特許文献２）と比べて大幅にその製造コストを抑えることができる。
【００３７】
続いて、本実施形態の植生保護装置１００を法面上の植生領域Ｇに設置して、植生保護構造１０を構築する方法、すなわち、野生動物から法面上の植生領域の植生植物を保護する方法を説明する。
【００３８】
まず、法面上の植生領域Ｇに植生シート１０２を敷設し、凸条部１０１ｂが未形成であるが補強部１０１ｃが形成された状態の複数の保護体１０１を運搬する。このとき、各保護体１０１が、各金属線１０１ａが近接したコンパクトな形態を保つので、運搬が容易である。次に、保護体１０１の長手方向を法面の傾斜方向に沿って配置し、金属線１０１ａを離隔するように保護体１０１を展開する。そして、植生領域Ｇ上に植生保護装置１００を形成すべく、保護体１０１の幅方向で凸面状に隆起するとともに幅方向に直交する保護体１０１の長さ方向に沿って延びる凸条部１０１ｂを形成するように、保護体１０１の各金属線１０１ａを屈曲させた状態で、保護体１０１を植生領域Ｇに設置する。つまり、展開された保護体１０１をアーチ状に屈曲させつつ、保護体１０１及び植生シート１０２に複数の固定具１０３を打ち込む。その結果、植生保護装置１００（保護体１０１）及び植生シート１０２が植生領域Ｇに固定される。同様の手順で複数の植生保護装置１００を植生領域Ｇ上に設置することにより、法面上に植生保護構造１０を構築することができる。なお、本方法は、上記実施形態に限定されず、各工程の入れ替え、追加、省略等が可能である。
【００３９】
以下、本発明の一実施形態の植生保護装置１００及び植生保護構造１０の作用効果について説明する。
【００４０】
本実施形態の植生保護装置１００によれば、剛性の複数の金属線１０１ａが協働して凸条部１０１ｂが設けられ、該凸条部１０１ｂの内部に保護体１０１の長さ方向に延びる植生保護空間Ｒが形成される。すなわち、植生保護空間Ｒは、複数の剛性の金属線１０１ａによって定められているため、剛性の保護面で安定的に内部の植生保護空間Ｒの植生植物を保護できる。特には、隣接する２以上の金属線１０１ａを結束させてなる補強部１０１ｃが保護体１０１の長さ方向に複数設けられていることにより、大型の鹿などの重量体が保護体１０１上に乗ったとしても、保護体１０１が塑性変形して植生保護空間Ｒが潰れたり、植生保護空間Ｒが狭まることが防止される。そして、保護面が剛性の金属線１０１ａによって構成されているため、屋外環境に影響を受けにくい。また、保護体１０１は、幅方向に剛性を有するが、長さ方向に複数の金属線１０１ａが互いに近接又は離隔するように変形可能である。これにより、植生保護装置１００の運搬、輸送又は保管の際、保護体１０１を長さ方向に収縮させて折り畳むことが可能となる。
【００４１】
さらに、保護体１０１の凸条部１０１ｂが、幅方向及び長さ方向に複数の編み目が連設することによって構成されていることにより、該凸条部１０１ｂの幅方向の両端の金属線１０１ａのみが接地し、該両端の間の多くの編み目が地面から浮いた状態で保持される。すなわち、１本の金属線１０１ａの長手方向において、地面と接する箇所の面積は比較的少なく、その大部分が地面から離隔して配置される。特に、金属線１０１ａが地面に接する箇所では、湿度が高く、水分が溜まり易いため、錆や腐食が発生し易い。本実施形態では、幅方向に複数の編み目を浮かすように配置したことにより、錆や腐食が発生する箇所を最小限に留めている。さらに、複数の編み目が協働して保護体１０１の幅方向にアーチ状の剛性の保護面を形成している。例えば、絶え間なく保護体の金属線が地面に接しているような植生保護装置の場合、野生動物Ｄが保護体に乗った際、その重みで保護体を構成する金属線が地中に沈み込み、植生植物Ｐの根を切断するなど植生植物Ｐを損傷し易い。このような場合、本発明のような植生保護空間を形成し得ない。これに対し、本実施形態では、凸条部１０１ｂの幅方向の両端の間に金属線１０１ａが接地しないように連続する帯状の植生保護空間Ｒが定められる。これにより、野生動物Ｄが保護体１０１に乗ったとしても植生保護空間Ｒ内で金属線１０１ａが植生植物Ｐの根を傷つけることが抑えることをできる。
【００４２】
したがって、本実施形態の植生保護装置１００は、屋外環境の下で野生動物Ｄによる食害から植生領域Ｇ上の植生植物Ｐをより安定的に保護可能であり、よりコンパクトな形態に変形可能であり、そして、法面への施工容易性を改善するものである。
【００４３】
上述のとおり、本発明の一実施形態の植生保護装置１００及び植生保護構造１０を説明した。しかしながら、本発明は上述の一実施形態に限定されることはない。以下に本発明の変形例を説明する。
【００４４】
（１）上記実施形態では、植生保護装置１００の保護体１０１と植生シート１０２が別体として構成されているが、これらを予め一体的に結合してもよい。この場合、保護体１０１及び植生シート１０２を一体としてロール状に変形させることができるため、運搬や施工作業において有利となる。
【００４５】
（２）上記実施形態では、金属線１０１ｂがジグザグ状に鋭角に屈折しているが、本発明はこれに限定されない。例えば、金属線の屈折角を緩やかなものにしたり、丸みを帯びるようにしてもよい。
【００４６】
（３）上記実施形態では、保護体を構成する複数の金属線のうちの２本以上束ねた金属線を補強部としたが、本発明はこれに限定されない。例えば、保護体とは別部材である金属製や合成樹脂製のアーチ状の線材を菱形（ラス）金網に別途追加して補強部を形成してもよい。
【００４７】
なお、本発明は上述した実施例や変形例に限定されるものではなく、本発明の技術的範囲に属する限りにおいて種々の態様で実施しうるものである。
【符号の説明】
【００４８】
１０      植生保護構造
１００    植生保護装置
１０１    保護体
１０１ａ  金属線
１０１ｂ  凸条部
１０１ｃ  補強部
１０１ｄ  結束部材
１０２    植生シート
１０３    固定具
Ｐ        植生植物
Ｇ        植生領域
Ｒ        植生保護空間
ｈ        植生保護空間の高さ
Ｄ        鹿（野生動物）
【要約】
【課題】植物を安定的に保護する植生保護装置を提供する。
【解決手段】植生保護装置１００は、ジグザグ状に屈折する剛性の複数の金属線１０１ａからなる保護体１０１を備える。複数の金属線１０１ａが保護体１０１の長さ方向に並設されて菱形金網状に編み合わされ、保護体１０１の長さ方向において、複数の金属線１０１ａが互いに近接又は離隔するように変位可能である。また、植生保護空間Ｒを維持すべく、複数の補強部１０１ｃが保護体１０１の長さ方向に並設されている。補強部１０１ｃは、複数の金属線１０１ａのうちの隣接する少なくとも２つの金属線１０１ａが結束されることにより形成されている。そして、保護体１０１の幅方向で凸面状に隆起するとともに保護体１０１の長さ方向に沿って延びる凸条部１０１ｂが形成される。凸条部１０１ｂの内部に植生植物Ｐを保護するための植生保護空間Ｒが定められる。
【選択図】図１【図１】
0005981063.tif 000002
【図２】
0005981063.tif 000003
【図３】
0005981063.tif 000004
【図４】
0005981063.tif 000005
【図５】
0005981063.tif 000006
【図６】
0005981063.tif 000007